(57)【要約】  【課題】  メッセージ等を記載した手紙を棺桶内に入れても先に燃焼する課題を有しており、また棺桶内に敷く畳は、畳床を１枚又は複数枚のインシュレーションボードで１．５ｃｍ以上の厚みにすると火葬の際の燃焼時間がかかってしまうという課題や、軽くて燃焼性の良い材料のみで製作した畳では、安っぽく感じられてるという課題を有していた。  【解決手段】  畳の裏面に亡くなった方へのメッセージを記載する枠を設け、畳床は、１枚又は複数のインシュレーションボードを使用し、燃焼性向上のために敷き込んだ状態で鉛直方向に畳床を貫通する複数の穴を全面に設けたり、１枚又は複数枚のダンボールとインシュレーションボードを一体の畳床に構成し、燃焼性向上のために敷き込んだ状態で鉛直方向に畳床を貫通する複数の穴を全面に設けて燃焼性を向上させ丁重に最後のお別れができるようにした棺桶用畳を提供する。【選択図】    図１
2011169047.tif 000002
【特許請求の範囲】
【請求項１】
棺内に敷き込むための畳であって、畳の裏面に亡くなった方へ対するお別れのメッセージを記入する枠を設けたことを特徴とする棺桶用畳。
【請求項２】
亡くなった方へ対するお別れのメッセージを記入する枠は、畳の裏面に設けられたシート材に描かれたもの又は上記枠が描かれたシートが畳の裏面に貼り付けされたものであることを特徴とする請求項１記載の棺桶用畳。
【請求項３】
畳表は畳の框を巻くようにして畳長手方向において畳床の裏面まで配し、
畳縁は畳表又は畳床に縫着もしくは接着して取り付けられ、
畳床は、１枚又は複数のインシュレーションボードを使用し、少なくとも１枚のインシュレーションボードには燃焼性向上のために敷き込んだ状態で鉛直方向に畳床を貫通する複数の穴を全面になされていることを特徴とする請求項１又は請求項２記載の棺用畳。
【請求項４】
畳表は畳の框を巻くようにして畳長手方向において畳床の裏面まで配し、
畳縁は畳表又は畳床に縫着もしくは接着して取り付けられ、
畳床は、１枚又は複数枚のダンボールとインシュレーションボードを接着剤やテープによって固定して一体の畳床とされていることを特徴とする請求項１又は請求項２記載の棺用畳。
【請求項５】
畳床に使用した上記インシュレーションボードには、燃焼性向上のために敷き込んだ状態で鉛直方向に畳床を貫通する複数の穴を全面になされていることを特徴とする請求項４記載の棺用畳。
【発明の詳細な説明】
【技術分野】
【０００１】
本発明は、棺桶内に敷き込む畳に関するものである。
【背景技術】
【０００２】
従来より棺桶内に敷き込む畳が知られており、大切な方が亡くなった際に最後のお別れを手厚くしたいという遺族等の要望が高まってきている。また、棺桶内に亡くなった方へのメッセージを入れたり、亡くなった方が大切にしていた物品を一緒に入れたりすることにより、残された遺族等としても最後のお別れを十分に行いたいとの思いで上記のような対応がなされている。
棺桶内に敷き込む畳としては、特許文献１に示す葬儀用畳は、燃焼性が良く、燃焼後の灰も少なく、そして、亡くなった人が生前好きであった香りに包まれるようにした構成のものが知られている。そして畳の構造は、畳表と畳床と畳縁からなり、畳床は、燃焼性を考慮して、インシュレーションボード、木製、紙製、不織布等を使用したり、これらの素材を適宜組み合わせた畳床としても良いことが記載され、畳表や畳縁は畳床に燃焼性の良い紙製のテープや両面テープで固定される構成のものである。
【０００３】
特許文献２に示す棺桶用畳は、軽くて燃焼性が良く、しかも安価に製造が可能なもとのして提案されたものであり、各ハニカム孔が縦方向を向いて上下に厚紙板を備える紙製のハニカム構造部材と、ハニカム構造部材の表面側を直接覆い、しかもその長手方向端部は折り返して裏面側まで延設された畳表と、ハニカム構造部材を覆った畳表の両端部、並びにハニカム構造部材の両側部及びその裏面側端部を覆う有色又は黒色の縁シート材で構成されたものが知られている。
【０００４】
そして又、特許文献３に示す棺用中敷畳のように、厚さ３ｍｍ以内のダンボール材を２枚重ねして畳本体の厚さを１ｃｍ以内として、薄くするとともに、軽量化をはかり、かつ火葬の際に短時間で完全燃焼し、有毒ガスを発生しない構成のものも知られている。
【先行技術文献】
【特許文献】
【０００５】
【特許文献１】特開２００３−２３２１２１号公報
【特許文献２】特開平１１−２２１６１号公報
【特許文献３】実用新案登録第３０７４６３０号公報
【発明の開示】
【発明が解決しようとする課題】
【０００６】
上記のように種々の棺内に敷き込む畳の提案がなされ、亡くなった人と丁重に最後の別れを行うことに対する提案が種々なされているが、改善するべき課題を有してもいたのである。その課題とは、亡くなった人に対する最後のメッセージを棺内に入れたいという要望があり、手紙にしたり、色紙等に記載して棺桶内に入れたりするのであるが、手紙や色紙等では、火葬する際においては、最初に燃えてしまうという課題を有していた。心を込めた最後のお別れのメッセージであるので、メッセージが先に燃えてしまうことがないようにしたいという要望が満たされてなかったのである。
【０００７】
そしてまた、特許文献１の畳においては、素材の組合せは適宜とされているものの、亡くなった方との最後のお別れをするにあたって、自宅の畳と同じような畳としたいという要望がある場合が、畳床を１枚又は複数枚のインシュレーションボードで５〜６ｃｍ程度の厚みにすると火葬の際の燃焼時間がかかってしまうという課題を有していた。そして、インシュレーションボードの厚みが１．５ｃｍ以上になると燃焼時間や燃焼性について問題となる場合があったのである。
【０００８】
また、インシュレーションボードを使用した場合には、畳表を従来家屋に敷き込む畳同様に畳表を強いテンションをかけて張った状態で畳床であるインシュレーションボードにステープル打ちにて固定することができるが、紙製や不織布製の畳床では畳表を強いテンションをかけて張った状態では固定できないため、両面テープ等の貼り付け手段を用いて固定しなければならず、通常知られている畳を製造する設備以外の製造工程を取らなければならなかった。
【０００９】
特許文献２や特許文献３の畳においては、軽くて燃焼性については非常に良いものではあるが、特に特許文献３のものでは、畳というには畳床に強度はなく、簡易的なもので、大切な肉親や親類又は友人と最期のお別れをする際に使用するものとしては安っぽく感じられてしまっていた。また、特許文献１同様に畳表の固定についても畳表を強いテンションをかけて張った状態にはできないという課題を有してもいた。
【課題を解決するための手段】
【００１０】
上記課題を解決するために、本発明の請求項１は、棺内に敷き込むための畳であって、畳の裏面に亡くなった方へ対するお別れのメッセージを記入する枠を設けたことを特徴とする。
【００１１】
本発明の請求項２は、亡くなった方へ対するお別れのメッセージを記入する枠は、畳の裏面に設けられたシート材に描かれたもの又は上記枠が描かれたシートが畳の裏面に貼り付けされたものであることを特徴とする。
【００１２】
本発明の請求項３は、畳表は畳の框を巻くようにして畳長手方向において畳床の裏面まで配し、畳縁は畳表又は畳床に縫着もしくは接着して取り付けられ、畳床は、１枚又は複数のインシュレーションボードを使用し、少なくとも１枚のインシュレーションボードには燃焼性向上のために敷き込んだ状態で鉛直方向に畳床を貫通する複数の穴を全面になされていることを特徴とする。
【００１３】
本発明の請求項４は、畳表は畳の框を巻くようにして畳長手方向において畳床の裏面まで配し、畳縁は畳表又は畳床に縫着もしくは接着して取り付けられ、畳床は、１枚又は複数枚のダンボールとインシュレーションボードを接着剤やテープによって固定して一体の畳床とされていることを特徴とする。
【００１４】
本発明の請求項５は、畳床に使用した上記インシュレーションボードには、燃焼性向上のために敷き込んだ状態で鉛直方向に畳床を貫通する複数の穴を全面になされていることを特徴とする。
【発明の効果】
【００１５】
本発明により、お別れのメッセージの方が先に燃焼してしまうという課題を解決し、かつ、丁重に最後のお別れをしたいという要望に対して、お別れのメッセージ部分の燃焼で亡くなった方を包むようにして火葬することができるので、送る側にとっては自分の書いたメッセージで包みながら最後のお別れをすることができる。
【００１６】
そしてまた、畳床を構成するインシュレーションボードに、敷き込んだ状態で鉛直方向に畳床を貫通する複数の穴を全面に設けているため厚みの厚い畳である場合においても棺用畳を提供することができ、かつ、亡くなった方との最後の別れをする際に使用する畳として従来家屋に敷き込む畳とほぼ同様の高品質の畳として提供することができる。
【００１７】
また、厚い畳とする場合などでは、畳床の上層をダンボールとして提供し、穴を設けていない状態の棺用畳として提供することで、穴開け加工をせずに生産性を高めることができ、かつダンボールを使用することで燃焼性を向上させることができる。
【００１８】
また、ダンボールとインシュレーションボードで畳床を構成した場合に、インシュレーションボードに敷き込んだ状態で鉛直方向に畳床を貫通する複数の穴を全面に設けているため、さらに燃焼性を向上させることができる。
【発明を実施するための最良の形態】
【００１９】
本発明の実施形態について説明する。図１は棺桶内に敷く畳の裏面を示した図であり、図１（ａ）においては、亡くなった方へのメッセージとして「おくりことば」を記載する枠５を畳の長手方向の中央付近に設けた実施形態である。また、図１（ｂ）においては、亡くなった方の頭部の真下付近に位置する場所に、亡くなった方へのメッセージとして「おくりことば」を記載する枠５を設けた実施形態である。
【００２０】
「おくりことば」として記載したメッセージが、亡くなった方の心に届くようにとの気持ちを込める意味で畳の中央付近に枠５を設けて記入できるようにした実施形態と、亡くなった方の耳に届くようにとの気持ちを込める意味で頭部付近に枠５を設けて記入できるようにした実施形態とを開示したものである。
【００２１】
畳の裏面に設ける枠５は、無地もしくは無地に近い淡色系（望ましくは白色系や薄い灰色など）のシートで燃焼の際に有毒なガスを発生させない素材（例えば和紙、木質パルプなどから製作する紙で化繊を含まないもの）に印刷しておくことが望ましく、特に和紙が好ましい。上記枠５を印刷したシート材を畳縁を縫着する際に同時に畳の裏面に縫着すれば良く、枠５を印刷するインクについても有害なガスの発生をさせないインク（例えば大豆インク等）で印刷しておくことが望ましい。
【００２２】
本発明の棺桶用畳を使用することによって、最後のお別れのメッセージを記載した畳が燃焼する際には、亡くなった方の身体を包むようにして最後のお別れができるので、丁重に最後のお別れをしたいという要望に対して満足できる棺桶用畳の提供ができる。
【００２３】
次に、畳の構成について説明すると、図２の畳は、インシュレーションボードを畳床２として使用し、畳表１と畳縁３を従来家屋に敷き込む際と同様の製造方法にて縫着したものである。図２に示すように畳床２には燃焼しやすいように多数の穴４を所定ピッチで畳床２の全面に設けている。穴の大きさと穴を設けるピッチは例えば５０〜１００ｍｍピッチで穴径は１０〜３０ｍｍとしている。
【００２４】
もちろん穴の径やピッチは製作する畳の厚みによって変更してもよく、また、穴の径も列によって変更するようにしてもよい。しかし、機械加工で穴開け加工をすることが生産性の面からも効率的であるため、畳の長手方向の列に対して穴の径やピッチをそろえた状態とすることが望ましい。そして畳の厚みも家屋に敷き込む畳と同等の厚みとしても、穴加工によって燃焼の際に空気の流れが発生し、穴部分からも燃焼するため、穴加工していない状態よりも短時間で燃焼できる畳を提供することができる。
【００２５】
そしてまた、複数のインシュレーションボードで畳を構成する場合には、燃焼しやすいように多数の穴４を設けるのは少なくとも１枚のインシュレーションボードに設けて、穴４を設けないインシュレーションボードと組み合わせて畳床を構成するようにしてもよいのである。
【００２６】
畳の幅は、棺のほぼ内寸程度の寸法で、長さ方向については、棺の長さ方向の内寸としたり、又棺の長さ方向の内寸の１／２や１／３と分割し、保管や運搬の際に便利な畳の長さとしてもよい。棺の長さ方向の内寸の１／２の寸法とした場合は、敷き込む畳は２枚であるから、片側の１枚にメッセージの枠を設けておけば良く、棺の長さ方向の内寸の１／３の寸法とした場合には、畳は３枚となるために、３枚のうちの１枚にメッセージの枠を設けておけば、敷き込む位置によって頭の位置にでも、中央の位置にでもメッセージの枠の配置は可能である、
【００２７】
また、図３に示すように、畳床２への穴加工は、隣接する穴列が１／２ピッチずれた状態で畳の強度を保つような穴列としても良い。この場合においても、長さ方向の１列毎の穴径を変更してもよい。特に燃焼性のことを考慮するならば、中心付近の長さ方向の穴列の穴径を端部付近の穴列よりも大きくしておいた方が望ましい。穴径については特に本発明を限定するものではないが、例示をすれば、穴径は１０〜３０ｍｍ程度の穴を適宜３０〜１００ｍｍピッチで設けることが望ましい。図３においては、枠５を設けたシート材は省略して図示している。
【００２８】
またさらに、上記の実施形態で畳縁３を縫着する場合、畳縁３を縫着する部分の畳床２には穴４の加工はしていない状態とすることは言うまでもない。また、畳縁３の取付けについては、畳表に綿糸や燃焼の際に有毒ガスを発生させない樹脂製の糸等の縫着糸で縫い付けた状態として畳に製造するようにしても良い。何年間も人がその上で生活したりするような使用をしないために畳表１へ畳縁３を縫着しても十分強度は持つのである。
【００２９】
次に第２の実施形態を図４に示す。図４の畳は、畳床２の上層はダンボール２ａで下層をインシュレーションボード２ｂで構成した畳床としている。インシュレーションボード２ｂに対しては上記第１の実施形態で説明した穴４を設けている。穴４については第１の実施形態で説明したことをそのまま第２の実施形態でも用いることができる。
【００３０】
畳床２の上層にダンボール２ａを入れているために、同じ厚みの畳とした場合に第２の実施形態の方が燃焼しやすく、また軽量である。ただ、畳床２の上層がダンボールであるために、第１の実施形態と同じように畳表１をかなりテンションをかけた状態で張り付けると、ダンボールの上面の角が丸く変形してしまうことになるため、畳表を張るテンションは第１の実施形態よりは低い状態での畳表１の固定となる。
【００３１】
上層に設置するダンボール板を複数枚貼り付けて２ａとしても良い。燃焼時間の調整としてダンボール２ａの寸法をいくらにするかを適宜設計すればよいのである。
【００３２】
次に第３の実施形態を図５に示す。  図４と同様に畳床２は上層にダンボール２ａ、下層にインシュレーションボード２ｂを設置しているが、インシュレーションボード２ｂには穴加工をしていない実施形態である。
【００３３】
畳表をある程度テンションをかけた状態で固定するためにはインシュレーションボード２ｂの厚みは最低でも５ｍｍ程度あれば良く、畳床２上層のダンボールの厚みは５〜１５ｍｍ程度で、強度を持たせるために畳の厚みを厚くする場合においては、ダンボール２ｂの板を適宜複数枚を貼り付けする等で構成すると良い。もちろん、ダンボールとインシュレーションボードをそれぞれ１枚づつ使用して薄畳として提供するようにしても良いのである。
【００３４】
また、畳縁３の縫着も畳表１に縫着して畳床２に固定する方法を採用することが望ましい。というのも、よく知られている畳縁３を畳床へ縫着する平刺加工では糸締めのテンションが大きいため、上層のダンボールを破ってしまうことになるため、弱い糸締めで縫着できるミシンを使用しなければならないため、畳表１へ畳縁３を綿糸で縫着するようにした方が生産性が良い。
【００３５】
以上第１から第３の実施形態まで説明したが、畳表１は畳床２の裏面まで畳の框部分を巻いて配置し、畳床２の裏面でタッカー止めすることを基本としている。タッカーは金属性のものを使用してもよいし、燃焼時に有毒ガスを発生させない樹脂製のタッカーを使用しても良い。金属製のものを使用しても、燃焼後、腐食によって錆びるために環境的にも特に問題とはならない。もちろん畳表を張るテンションに耐えうる強度を有する接着法にて畳表を接着して固定してもかまわない。
【００３６】
また、畳床２に複数の穴を設けているので、穴の部分においては、メッセージを記載しにくい場合があるため、畳床２と枠を設けたシート材の間に薄いダンボール等を入れてメッセージの記入に支障が出ないようにしておくことが望ましい。
【００３７】
また、上記に説明した実施形態においては、畳縁３は長手方向の端部両側に設けた実施形態を説明しているが、縁無の畳としたり、畳の四辺全体に畳縁を設けるようにしてもよいのである。縁無の畳とした場合は畳自体の側面において内部の畳床材が見えることは好ましくないため、畳表を四辺において巻くようにして畳表を畳裏面に固定すれば良い。逆に畳の四辺全体に畳縁を設ける場合は、畳の側面は畳縁で覆われた状態となるため、畳表は畳床に巻くことをせずに、畳床の上面と同じ大きさとしても良いのである。
【００３８】
また、さらに畳の裏面に設けたシート材に描くのではなく、亡くなった方へのメッセージとして「おくりことば」を記載する枠だけのシートを例えばシール状として、メッセージを記載後に、畳の裏面に貼り付けるようにすることも良いのである。そのような構成とすると、「おくりことば」を記載する枠のシートを図１に示したような１種類ではなく多数の種類の中から選んで使用してもらうことも可能である。またさらに、シール状にせずに、「おくりことば」を記載する枠だけのシートの裏面の四周端部に燃焼ガスを発生させない素材の粘着テープを設けたりしておいても良く、畳の裏面への貼り付け方法は種々の構成が採用できることはいうまでもない。
【図面の簡単な説明】
【００３９】
【図１】本発明の畳の裏面に亡くなった方へのメッセージ枠を説明する図である。
【図２】本発明の畳の第１の実施形態を説明する図である。
【図３】畳床に設けた穴列を説明する図である。
【図４】本発明の畳の第２の実施形態を説明する図である。
【図５】本発明の畳の第３の実施形態を説明する図である。
【符号の説明】
【００４０】
１  畳表
２  畳床
３  畳縁
４  穴
５  枠
【図１】
2011169047.tif 000003
【図２】
2011169047.tif 000004
【図３】
2011169047.tif 000005
【図４】
2011169047.tif 000006
【図５】
2011169047.tif 000007